(57)【特許請求の範囲】
【請求項１】
本体の電池嵌合部に電池パックを装着して使用する携帯電話機において、
第１のＩＣカードが挿入される第１のスロットと第２のＩＣカードが挿入される第２のスロットとから構成され、前記第１のスロットの前記第１のＩＣカードの挿抜方向と前記第２のスロットの前記第１のＩＣカードの挿抜方向とは互いに垂直な関係に前記第１のスロット上に前記第２のスロットを配置するカード用コネクタと、
このカード用コネクタを実装する実装基板と、
この実装基板を内蔵して前記電池嵌合部が設けられた筐体と、
前記第１のスロットに挿入されたＩＣカードを取り出すための第１のスライドレバーと、
前記第２のスロットに挿入されたＩＣカードを取り出すための第２のスライドレバーと、
前記第１のスロットの前記第１のＩＣカードの挿抜方向への第１の方向への摺動と前記第２のスロットの前記第２のＩＣカードの挿抜方向への第２の方向への摺動とを行い、前記電池嵌合部に対する電池パックの固定状態と非固定状態とを前記第２の方向の摺動により切り替える固定機構と
を備え、
前記カード用コネクタの前記第１のスロットの開口部は、前記筐体の側部に配置され、
前記カード用コネクタの前記第２のスロットの開口部は、前記電池嵌合部側部に配置され、
前記第１のスライドレバーの動作は前記固定機構の第１の方向への摺動に連動され、前記第２のスライドレバーの動作は前記固定機構の第２の方向への摺動に連動されたものである
ことを特徴とする携帯電話機。
【請求項２】
請求項１記載の携帯電話機において、
前記第２のスロットに挿入されるＩＣカードは、前記携帯電話機の使用者に関する情報が記録されたＳＩＭカードであることを特徴とする携帯電話機。
【発明の詳細な説明】
【０００１】
【発明の属する技術分野】
本発明は、メモリを内蔵したＩＣカードを利用できる携帯電話機に関する。
【０００２】
【従来の技術】
近年、携帯電話機の１形態であるディジタルセル方式セルラーとしてＧＳＭ（Ｇｒｏｕｐ  Ｓｐｅｃｉａｌ  Ｍｏｄｅｍ／Ｇｌｏｂａｌ  Ｓｙｓｔｅｍ  ｆｏｒ  Ｍｏｂｉｌｅ  Ｃｏｍｕｎｉｃｔｉｏｎ）方式がある。このＧＭＳ方式では、加入者識別用のＳＩＭ（Ｓｕｂｓｃｒｕｂｅｒ  ＩｄｅｎｔｉｔｙＭｏｄｕｌｅ）として、ＩＣカード（ＳＩＭカード）が用いられている。この場合、小型な挿抜性のあるカードホルダーが搭載された携帯電話機が必要となる。
一方、インターネット上のウエブサーバからのデータの取得を携帯電話機で行えるサービスが開始されているが、取得したデータを保持し、また取得したデータを他の電子機器で利用するために、メモリーカードを用いる形態がある。この場合においても、小型な挿抜性のあるカードホルダーの搭載が携帯電話に必要となる。
【０００３】
【発明が解決しようとする課題】
携帯電話機で上記のＳＩＭカードとメモリーカードとを同時に利用できるようにする場合、ＳＩＭカードとメモリーカードとの２つのカードホルダーを携帯電話機に搭載しておく必要がある。
携帯電話機は、携帯性を追求するため、可能な限り集積度を向上させた小さな実装基板を用いるようにしている。カードホルダーは、上記ＩＣカードが嵌入される大きさなので、カードホルダーは携帯電話の実装基板上では、他に実装されている部品に比較して、非常に大きな面積を専有する部品である。
【０００４】
前述したように、２つのカードホルダーを携帯電話に搭載するためには、２つのカードホルダーを実装基板に実装することになるが、これでは、携帯電話における実装基板の小型化を大きく阻害してしまう。
このように、従来では、携帯電話機でＳＩＭカードとメモリーカードとを同時に利用しようとすると、携帯電話機を大きくしなくてはならず、携帯電話機の小型化が困難になると言う問題があった。
【０００５】
本発明は、以上のような問題点を解消するためになされたものであり、携帯電話機の小型化を阻害することなく、２つのＩＣカードが同時に利用できるようにすることを目的とする。
【０００６】
【課題を解決するための手段】
本発明の携帯電話機は、本体の電池嵌合部に電池パックを装着して使用する携帯電話機において、第１のＩＣカードが挿入される第１のスロットと第２のＩＣカードが挿入される第２のスロットとから構成され、第１のスロットの第１のＩＣカードの挿抜方向と第２のスロットの第１のＩＣカードの挿抜方向とは互いに垂直な関係に第１のスロット上に第２のスロットを配置するカード用コネクタと、このカード用コネクタを実装する実装基板と、この実装基板を内蔵して電池嵌合部が設けられた筐体とを備え、カード用コネクタの第１のスロットの開口部は、筐体の側部に配置され、カード用コネクタの第２のスロットの開口部は、電池嵌合部側部に配置されているようにしたものである。
この発明によれば、２つのＩＣカードが、携帯電話機において異なる方向に挿入されて用いられる。
【０００７】
上記発明において、第１のスロットに挿入されたＩＣカードを取り出すための第１のスライドレバーと、第２のスロットに挿入されたＩＣカードを取り出すための第２のスライドレバーと、第１のスロットの第１のＩＣカードの挿抜方向への第１の方向への摺動と第２のスロットの第２のＩＣカードの挿抜方向への第２の方向への摺動とを行い、電池嵌合部に対する電池パックの固定状態と非固定状態とを第２の方向の摺動により切り替える固定機構を備え、第１のスライドレバーの動作は固定機構の第１の方向への摺動に連動され、第２のスライドレバーの動作は固定機構の第２の方向への摺動に連動されたものとした。
また、第２のスロットに挿入されるＩＣカードは、携帯電話機の使用者に関する情報が記録されたＳＩＭカードである。
【０００８】
【発明の実施の形態】
以下、本発明の実施の形態について図を参照して説明する。
図１は、本発明の実施の形態におけるカード用コネクタの概略的な構成を示す斜視図である。図１に示すように、本実施の形態におけるカード用コネクタ１００は、下段に配置するスロット１０１と、スロット１０１上の上段にスロット１０２を備え、図１には示していない携帯電話機内に実装される。スロット１０１は、常時挿抜可能なメモリーカード１２０が挿入され、スロット１０２は、携帯電話機ユーザの電話番号などの情報が保存されるＳＩＭカード１３０が挿入される。また、スロット１０１とスロット１０２は、各々カードの挿抜方向が垂直な関係となっている。
【０００９】
カード用コネクタ１００では、スライドレバー１０１ａ，１０２ａにより、スロット１０１，スロット１０２に差し込まれているカードを取り外す。また、スロット１０１は、リード１０１ｂで図示していない実装基板の所定の配線に電気的に接続され、スロット１０２は、リード１０２ｂで実装基板の所定の配線に電気的に接続される。
【００１０】
上記スロット１０１内には、リード１０１ｂに各々接続する端子（図示せず）が所定箇所に配置されている。メモリーカード１２０がスロット１０１に装填されると、メモリーカード１２０の端子が、スロット１０１内の上記端子に接触して接続した状態となる。この結果、メモリーカード１２０の端子は、スロット１０１内の端子からリード１０１ｂを介して上記実装基板の所定の配線に接続されることになる。
【００１１】
同様に、上記スロット１０２内には、リード１０２ｂに各々接続する端子（図示せず）が所定箇所に配置されている。ＳＩＭカード１３０がスロット１０２に装填されると、ＳＩＭカード１３０の端子が、スロット１０２内の上記端子に接触して接続した状態となる。この結果、ＳＩＭカードの端子は、スロット１０２内の端子からリード１０２ｂを介して上記実装基板の所定の配線に接続されることになる。
【００１２】
図２は、本実施の形態におけるカード用コネクタが組み込まれた携帯電話を示す斜視図である。図２では、メモリカードのスロットの挿抜方向が、図１の場合と１８０°異なった例を示している。
図２において、携帯電話機２００は、駆動用の電池パックを装填する電池嵌合部２１０の側面２１１に開口部２１２を備えている。また、携帯電話機２００は、携帯電話機２００の側面２０１に開口部２０２を備えている。
【００１３】
カード用コネクタ１００は、携帯電話機２００の電池嵌合部２１０側面にＳＩＭカード挿入口が配置され、携帯電話機２００の側面にメモリカード挿入口が向き合う方向で実装される。したがって、ＳＩＭカード１３０は、開口部２１２よりスロット１０２に対する挿抜がなされ、メモリーカード１２０は、開口部２０２よりスロット１０１に対する挿抜がなされる。メモリカード挿入用の開口部２０２は携帯電話機２００の左右どちらの側面に配置しても構わない。
【００１４】
電池嵌合部２１０の側面２１１上部には、この電池嵌合部２１０に嵌合される電池パックを固定するためのロックボタン２２０を備えている。ロックボタン２２０は、図１に示したスライドレバー１０１ａ，１０２ａと連動している。ロックボタン２２０がＡ方向に摺動すると、電池嵌合部２１０においては電池パックの固定状態が開放され、同時に図１に示したスライドレバー１０２ａが連動してＳＩＭカード１３０が排出される状態となる。ロックボタン２２０がＢ方向に摺動すると、スライドレバー１０１ａが連動してメモリーカード１２０が排出される状態となる。
以上説明したように、この実施の形態によれば、ロックボタン２２０のみで、電池パックの固定や取り外し、ＳＩＭカードの取り外し、メモリーカードの取り外しが可能となる。
【００１５】
図３は、図２に示した携帯電話機２００の断面を簡単に示す概略断面図である。図３に示すように、携帯電話機２００は、電池パック２３０を装填して使用するため、スロット１０２に挿入されたＳＩＭカード１３０の端面は、装填された電池パック２３０により固定される。この結果、この実施の形態における携帯電話によれば、使用時の衝撃などによるＳＩＭカードの飛び出しが防止される。
【００１６】
一方、スロット１０１に挿入されるメモリーカード１２０は、電池パック２３０が装填されていても、自由に取り外しができる。また、このメモリーカード１２０の取り外しは、図２に示したロックボタン２２０のＢ方向への摺動により行われ、ロックボタン２２０のＡ方向への摺動は発生しない。したがって、電池パック２３０やＳＩＭカード１３０を取り外すことなく、メモリーカード１２０のみを取り外すことができる。
【００１７】
図４は上記ロックボタン２２０部分の詳細構成を示す斜視図である。
図４に示すように、ロックボタン２２０は、スライド部２２１と、スライド部２２２と、携帯電話機本体に設けられた基台２２３とから構成されている。スライド部２２１は、保持部２２１ａと保持部２２１ｂとがスライド部２２２上の滑り案内で保持され、図２のＡ方向に摺動する。
【００１８】
また、スライド部２２１は、スプリング２２４が緩嵌された滑り棒２２１ｃを備え、滑り棒２２１ｃは、スライド部２２２の端部に設けられた案内孔２２２ａを貫通している。この機構により、スライド部２２１は、スライド部２２２上における摺動の戻りを行う。
このスライド部２２１は、前述した図１のスライドレバー１０２ａに連動し、スライド部２２１がスライド部２２２上を摺動することで、スライドレバー１０２ａが動作する。
【００１９】
また、スライド部２２２は、下部に図２のＢ方向に伸びる滑り棒２２２ｂを備え、基台２２３の案内溝２２３ａに嵌合してＢ方向に摺動する。また、スライド部２２２は、爪２２２ｃで基台２２３（案内溝２２３ａ）に固定され、基台２２３平面の法線方向への移動が制限される。このスライド部２２２は、前述した図１のスライドレバー１０１ａに連動し、スライド部２２２が基台２２３上を摺動することで、スライドレバー１０１ａが動作する。
【００２０】
以上示したように、この実施の形態では、２種類のＩＣカードのための挿抜方向が異なる２つのスロットを２段に重ねたので、携帯電話機の実装基板における専有面積の削減が可能となる。また、２つのスロットを挿抜方向が異なる状態としているので、一方のスロットの挿抜口を携帯電話機の電池パック嵌合部側面に配置し、他方のスロットの挿抜口を携帯電話機の側面に配置することができる。このことにより、一方のスロットに挿入するＩＣカードを、電池パックの嵌合により携帯電話機に固定することができる。
【００２１】
【発明の効果】
以上説明したように、本発明によれば、ＩＣカードが挿入される第１および第２のスロットを２段重ねにし、各々異なる方向にＩＣカードを挿入するカード用コネクタを用いるようにしたので、携帯電話機の実装基板上でＩＣカード２枚分の実装面積を必要とせずに、２つのＩＣカードが利用できるようになるという優れた効果が得られる。
【図面の簡単な説明】
【図１】本発明の実施の形態における携帯電話機に内蔵されるカード用コネクタの構成を示す斜視図である。
【図２】本発明の実施の形態における携帯電話機の概略的な外観を示す斜視図である。
【図３】図２の携帯電話機の断面を概略的に示す断面図である。
【図４】図２のロックボタン２２０のより詳細な構成を示す斜視図である。
【符号の説明】
１００…カード用コネクタ、１０１，１０２…スロット、１０１ａ，１０２ａ…スライドレバー、１０１ｂ，１０２ｂ。
【図１】
0003617404.tif 000002
【図２】
0003617404.tif 000003
【図３】
0003617404.tif 000004
【図４】
0003617404.tif 000005